(57)【特許請求の範囲】
【請求項１】
鉛直方向の４本の矩形外形状の支柱（１）（１）（１）（１）の各々に、長手方向開口部（１１）を設けると共に、ラック（２）を内設し、可動天板（４）に、手動ハンドル（８）が着脱自在に嵌着する操作軸（９）を有する手動駆動手段（１０）を設けると共に、複数のピニオンギヤ（５）を連動連結する連動機構（２０）を設け、さらに、上記可動天板（４）は、４角部に矩形状切欠部（１６）が凹設されると共に、各該切欠部（１６）に２つのガイドローラ（７）（７）が設けられ、
上記可動天板（４）の各上記切欠部（１６）に矩形外形状の各上記支柱（１）を対応させて、各上記支柱（１）の矩形外形状の外壁面（１Ａ）の内、上記切欠部（１６）に対面する２面に、上記２つのガイドローラ（７）（７）が当接して転動するように構成すると共に、各上記支柱（１）の内部に装入された上記ピニオンギヤ（５）が上記ラック（２）に噛合するように構成し、平面視に於て、隣り合う上記支柱（１）（１）の間口寸法（Ｌ１）・奥行寸法（Ｌ２）を、上記可動天板（４）の左右幅寸法（Ｗ）・前後寸法（Ｄ）と略同一に設定して、上記切欠部（１６）を除く上記可動天板（４）の前後左右の側面を、上記支柱（１）の外壁面（１Ａ）と同一面状に形成したことを特徴とする物品載置台。
【請求項２】
上記可動天板（４）は、上記手動ハンドル（８）を嵌着可能な上記操作軸（９）を有する上記手動駆動手段（１０）を設けると共に、上記操作軸（９）にベベルギヤ（６）（６）を介して連動連結される連結軸（１８）と、該連結軸（１８）にベベルギヤ（６）（６）を介して連動連結されると共に上記ピニオンギヤ（５）（５）が両端部に固着された一対の回転軸（１９）（１９）とを、有する上記連動機構（２０）とを、備え、
上記手動ハンドル（８）によって上記操作軸（９）を回転させることで、複数の上記ピニオンギヤ（５）が同期的に回動し、上記可動天板（４）が水平状態を維持しつつ昇降するように構成されている請求項１記載の物品載置台。
【発明の詳細な説明】
【技術分野】
【０００１】
本発明は、物品載置台に関する。
【背景技術】
【０００２】
従来、昇降自在に吊持された棚を備える物品載置台が知られている（特許文献１参照）。
【先行技術文献】
【特許文献】
【０００３】
【特許文献１】特開２０１１−１７３６９１号公報
【発明の概要】
【発明が解決しようとする課題】
【０００４】
しかし、特許文献１記載の物品載置台は、棚を吊持するチェーンやワイヤーが伸びて弛んでくると、棚が斜めに傾いて水平状態を維持できないという欠点があった。また、棚に上下方向のガタツキが生じ、昇降の際、棚がこぜる虞れがあり、不安定になるという欠点があった。
【０００５】
そこで、本発明は、天板の水平状態を安定して維持し得る物品載置台を提供することを目的とする。
【課題を解決するための手段】
【０００６】
本発明に係る物品載置台は、鉛直方向の４本の矩形外形状の支柱の各々に、長手方向開口部を設けると共に、ラックを内設し、可動天板に、手動ハンドルが着脱自在に嵌着する操作軸を有する手動駆動手段を設けると共に、複数のピニオンギヤを連動連結する連動機構を設け、さらに、上記可動天板は、４角部に矩形状切欠部が凹設されると共に、各該切欠部に２つのガイドローラが設けられ、上記可動天板の各上記切欠部に矩形外形状の各上記支柱を対応させて、各上記支柱の矩形外形状の外壁面の内、上記切欠部に対面する２面に、上記２つのガイドローラが当接して転動するように構成すると共に、各上記支柱の内部に装入された上記ピニオンギヤが上記ラックに噛合するように構成し、平面視に於て、隣り合う上記支柱の間口寸法・奥行寸法を、上記可動天板の左右幅寸法・前後寸法と略同一に設定して、上記切欠部を除く上記可動天板の前後左右の側面を、上記支柱の外壁面と同一面状に形成したものである。
【０００７】
また、上記可動天板は、上記手動ハンドルを嵌着可能な上記操作軸を有する上記手動駆動手段を設けると共に、上記操作軸にベベルギヤを介して連動連結される連結軸と、該連結軸にベベルギヤを介して連動連結されると共に上記ピニオンギヤが両端部に固着された一対の回転軸とを、有する上記連動機構とを、備え、上記手動ハンドルによって上記操作軸を回転させることで、複数の上記ピニオンギヤが同期的に回動し、上記可動天板が水平状態を維持しつつ昇降するように構成されているものである。
【発明の効果】
【０００８】
本発明の物品載置台によれば、可動天板を水平状態で確実に維持し、ガタつくことなく円滑に昇降でき、かつ、任意の位置で安定して停止保持できる。構造が簡素で、軽量化でき、しかも、安価に製造できる。簡単な手動操作のみで容易に可動天板を昇降できる。ワイヤーやチェーンのような伸びが生じることがなく、長期にわたって可動天板の水平状態を維持できる。
【図面の簡単な説明】
【０００９】
【図１】本発明の実施の一形態を示した斜視図である。
【図２】本発明の実施の一形態を示した底面図である。
【図３】停止状態の物品載置台を示した要部拡大斜視図である。
【発明を実施するための形態】
【００１０】
以下、実施の形態を示す図面に基づき本発明を詳説する。
図１に示すように、本発明の物品載置台は、机、テーブル、収納棚、物置、あるいは、書庫等として利用される。荷物や書類等が載置される可動天板４が、鉛直方向の４本の支柱１，１，１，１によって水平状態に支持されている。
可動天板４は、全体が平面視略長方形状に形成され、上面に平坦状の載置面１４を有している。可動天板４の４角部には、矩形状切欠部１６が凹設され、この切欠部１６に矩形外形状の支柱１，１，１，１が対応している。
【００１１】
図２に示すように、支柱１，１，１，１の各々にラック２を内設し、支柱１の外壁面１Ａの切欠部１６に対面する所定の１箇所に、長手方向開口部１１が形成されている。
可動天板４は、ラック２の各々に噛合するピニオンギヤ５を有している。ピニオンギヤ５は、開口部１１から各支柱１の内部に装入されている。
【００１２】
可動天板４には、手動ハンドル８を嵌着可能な操作軸９を有する手動駆動手段１０が設けられている。また、可動天板４は、操作軸９にベベルギヤ６，６を介して連動連結される連結軸１８と、連結軸１８にベベルギヤ６，６を介して連動連結されると共にピニオンギヤ５，５が両端部に固着された一対の回転軸１９，１９とを、有する連動機構２０を備えている。
図２のように、手動ハンドル８を操作軸９に取付けて回転操作することで、操作軸９から連結軸１８に（ベベルギヤ６，６を介して）回転力が伝達され、操作軸９と連結軸１８が連動して回転する。これと同時に、連結軸１８から左右の回転軸１９，１９に（夫々にベベルギヤ６，６を介して）回転力が伝達され、連結軸１８と回転軸１９，１９が連動して回転する。このように、手動ハンドル８の回転操作によって、左右の回転軸１９，１９の（長手方向）両端部に固着された４個のピニオンギヤ５が、同期的に回動するように構成されている。
【００１３】
ベベルギヤ６，６は、２個が噛合状態で組み合わされて枠体１３に収納され、ギヤボックス１２としてユニット化されている。可動天板４の裏側には、中央位置、及び、左右両端位置に３つのギヤボックス１２が付設されている。
操作軸９は、一端部９Ａが断面非円形状に形成され、他端部９Ｂには、中央位置に配設されたギヤボックス１２の一方のベベルギヤ６が非回転状に固着されている。操作軸９は、可動天板４の裏面に固着された取付部材１５によって回転自在に枢支されている。
中央位置のギヤボックス１２の他方のベベルギヤ６は、連結軸１８の長手方向中間部に固着されている。
連結軸１８は、その長手方向両端部に左右両端位置のギヤボックス１２に収納されるベベルギヤ６，６が固着されている。
回転軸１９，１９は、その長手方向中間部に、左右両端位置のギヤボックス１２に収納される他のベベルギヤ６が固着されている。回転軸１９，１９は、長手方向両端部が切欠部１６から外方へ突出しており、（両端部に固着した）ピニオンギヤ５が、支柱１内でラック２に噛合している。
【００１４】
可動天板４は、支柱１の外壁面１Ａに当接して転動する複数のガイドローラ７を有している。
ガイドローラ７は、各角部の切欠部１６に２個ずつ設けられ、支柱１の外壁面１Ａの内、切欠部１６に対面する２面に当接するよう配設されている。ガイドローラ７は、軸部材２４が挿通され、この軸部材２４が、可動天板４の裏面に固着された取付部材１７によって回転自在に枢支されている。
【００１５】
平面視に於て、本発明の物品載置台は、隣り合う支柱１，１の間口寸法Ｌ１・奥行寸法Ｌ２を、可動天板４の左右幅寸法Ｗ・前後寸法Ｄと略同一に設定している。
即ち、可動天板４は、前後左右の側面が、４本の支柱１，１，１，１の包絡線の外側に食みださないように形成されている。言い換えると、切欠部１６を除く可動天板４の前後左右の側面は、支柱１の外壁面１Ａと同一面状に形成されている。この構成により、可動天板４と４本の支柱１，１，１，１が、全体で平面視長方形状となり、外観上の美感が良く、優れたデザインとして設計される。
【００１６】
手動ハンドル８は、先端に把手２１を有し、基端に操作軸９の一端部９Ａに嵌着可能な非円形穴部２３が凹設された外嵌軸部２２を有している。可動天板４の前側面には、手動ハンドル８の外嵌軸部２２を差込むための貫通孔２５が形成されている。手動ハンドル８は、着脱式であり、可動天板４を昇降させる時のみ使用する。
図３に示すように、可動天板４を停止保持する際には、操作軸９の回転を規制する係止部材３０を取付ける。係止部材３０は、操作軸９の一端部９Ａに嵌着される非円形穴部３２が凹設されたピン部３１と、可動天板４を掴むように折曲片３４，３４が形成された断面コ字状のクランプ部３３とを、一体に有している。なお、操作軸９に外鍔部を設け、外鍔部に係止ピンを差し込んで回転を規制するも良い（図示省略）。
【００１７】
上述した本発明の物品載置台の使用方法（作用）について説明する。
図１、図２に示すように、可動天板４に手動ハンドル８を取付けて、手動ハンドル８によって操作軸９を回転させることで、４本の支柱１のラック２の各々に噛合する複数のピニオンギヤ５が同期的に回動する。ピニオンギヤ５の回動に伴って、可動天板４が水平状態を維持しつつ昇降する。この際、複数のガイドローラ７が、支柱１の外壁面１Ａに当接して転動し、可動天板４を円滑に昇降させる。
【００１８】
可動天板４を任意の上下位置に移動させて、手動ハンドル８を取外し、次に、図３のように、可動天板４に係止部材３０を取付けて停止保持する。係止部材３０は、操作軸９の回転を規制することで、ピニオンギヤ５を非回転状態に保持し、可動天板４の下降を抑制する。
【００１９】
なお、本発明は、設計変更可能であって、例えば、手動ハンドル８は、円環状把手の中心に軸部を有するものであって良い。また、ガイドローラ７の取付位置は、自由に変更できる。
【００２０】
以上のように、本発明に係る物品載置台は、鉛直方向の４本の支柱１，１，１，１の各々にラック２を内設し、ラック２の各々に噛合するピニオンギヤ５を設け、さらに、可動天板４に手動駆動手段１０を設けると共に、複数のピニオンギヤ５を連動連結する連動機構２０を備えたので、可動天板４を水平状態で確実に維持し、ガタつくことなく円滑に昇降でき、かつ、任意の位置で安定して停止保持できる。構造が簡素で、軽量化でき、しかも、安価に製造できる。簡単な手動操作のみで容易に可動天板４を昇降できる。ワイヤーやチェーンのような伸びが生じることがなく、長期にわたって可動天板４の水平状態を維持できる。
【００２１】
また、可動天板４は、手動ハンドル８を嵌着可能な操作軸９を有する手動駆動手段１０を設けると共に、操作軸９にベベルギヤ６，６を介して連動連結される連結軸１８と、連結軸１８にベベルギヤ６，６を介して連動連結されると共にピニオンギヤ５，５が両端部に固着された一対の回転軸１９，１９とを、有する連動機構２０とを、備え、手動ハンドル８によって操作軸９を回転させることで、複数のピニオンギヤ５が同期的に回動し、可動天板４が水平状態を維持しつつ昇降するように構成されているので、複数のピニオンギヤ５が、遊びなく連動して回転し、可動天板４を安定姿勢で昇降できる。上下方向にガタつくことなく安定して停止保持できる。
【００２２】
また、可動天板４は、支柱１の外壁面１Ａに当接して転動する複数のガイドローラ７を有しているので、可動天板４を４本の支柱１，１，１，１に沿って円滑に昇降できる。
【００２３】
また、可動天板４は、４角部に矩形状切欠部１６が凹設され、かつ、切欠部１６に矩形外形状の支柱１を対応させて、平面視に於て、隣り合う支柱１，１の間口寸法Ｌ１・奥行寸法Ｌ２を、可動天板４の左右幅寸法Ｗ・前後寸法Ｄと略同一に設定したので、可動天板４と４本の支柱１，１，１，１が、全体で平面視長方形状となり、狭小な部屋・クローゼット・倉庫等の空間に、その空間を有効にいっぱいまで使用して、設置できる。なおかつ、外観上の美感が良く、優れたデザインに設計できる。
【符号の説明】
【００２４】
１  支柱
１Ａ  外壁面
２  ラック
４  可動天板
５  ピニオンギヤ
６  ベベルギヤ
７  ガイドローラ
８  手動ハンドル
９  操作軸
１０  手動駆動手段
１１ 長手方向開口部
１６  切欠部
１８  連結軸
１９  回転軸
２０  連動機構
Ｌ１  間口寸法
Ｌ２  奥行寸法
Ｗ  左右幅寸法
Ｄ  前後寸法
【図１】
0006495674.tif 000002
【図２】
0006495674.tif 000003
【図３】
0006495674.tif 000004